(57)【要約】【課題】携帯電話機３０を車室１０へ持ち込み、車室１０内でハンズフリー通話を行う場合の秘密保持や騒音改善を図る。【解決手段】スピーカ１６ａ，１６ｂ，１６，１６ｄ及びマイクロホン１７ａ，１７ｂ，１７ｃ，１７ｄはそれぞれ運転席１１、助手席１２、後席１３の左部、及び後席１３の右部の着席者に対応して配設される。管理部２１は、携帯電話機３０へ着信がありしだい、携帯電話機３０から発信者情報を受け取る。そして、メモリ部２３からハンズフリー機器選択情報を読み出して、発信者情報に対応付けられているハンズフリー機器（スピーカ及びマイクロホン）を探し出し、探し出したハンズフリー機器へ通話制御部２５を接続する指示を音声入出力切換部２７へ出す。音声入出力切換部２７は、管理部２１からの接続指示に従い、携帯電話機３０をハンズフリー機器へ接続する。【選択図】図１
2007104343.tif 000002
【特許請求の範囲】
【請求項１】
移動体通信端末装置がハンズフリー通話のために適宜、接続自在になっているハンズフリー装置であって、
所定の空間内に離れて配置されてハンズフリー通話の際に使用される複数個のスピーカ及びマイクロホン、
前記ハンズフリー装置に接続されている移動体通信端末装置に着信があった時、前記移動体通信端末装置への着信及び発信者情報を該移動体通信端末装置から通知される被通知手段、及び
着信に対して通知された発信者情報に基づきスピーカ及びマイクロホンを選択して該選択したスピーカ及びマイクロホンを今回のハンズフリー通話用として前記移動体通信端末装置へ通話接続する接続手段、
を有していることを特徴とするハンズフリー装置。
【請求項２】
前記発信者情報は、通話相手方の電話番号、氏名及び／又はグループに係る情報であることを特徴とする請求項１記載のハンズフリー装置。
【請求項３】
発信者情報とハンズフリー通話用のスピーカ及びマイクロホンとを対応付けたハンズフリー機器選択情報をユーザ指示に基づき作成して記憶管理する管理手段、及び
前記ハンズフリー機器選択情報に基づき今回のハンズフリー通話用のスピーカ及びマイクロホンを選択する前記接続手段、
を有していることを特徴とする請求項１又は２記載のハンズフリー装置。
【請求項４】
ハンズフリー通話の実施中にハンズフリー通話用のスピーカ及びマイクロホンをユーザ指示に基づき変更する前記接続手段、及び
ハンズフリー通話の実施中にユーザ指示に基づき変更した後のハンズフリー通話用のスピーカ及びマイクロホンに基づき、ハンズフリー機器選択情報における発信者情報とハンズフリー通話用のスピーカ及びマイクロホンとの対応付けを更新する前記管理手段、
を有していることを特徴とする請求項３記載のハンズフリー装置。
【請求項５】
被通知手段は、前記ハンズフリー装置が複数個の移動体通信端末装置へ対応の接続部を介して接続されている場合は、着信のあった移動体通信端末装置の接続部を検出し、
前記接続手段は、ハンズフリー機器として選択したスピーカ及びマイクロホンを、前記接続部へ通話接続することを特徴とする請求項１〜４のいずれかに記載のハンズフリー装置。
【請求項６】
前記接続手段は、同時に通話状態になっている複数個の移動体通信端末装置へ通話接続するスピーカ及びマイクロホンが各移動体通信端末装置ごとに異なる場合は、各移動体通信端末装置を対応のスピーカ及びマイクロホンへ接続して、各移動体通信端末装置ごとにハンズフリー通話を実現するようになっていることを特徴とする請求項５記載のハンズフリー装置。
【請求項７】
前記所定の空間とは、車室であることを特徴とする請求項１〜６のいずれかに記載のハンズフリー装置。
【請求項８】
所定の空間内に離れて配置されてハンズフリー通話の際に使用される複数個のスピーカ及びマイクロホンを装備するハンズフリー装置の制御方法において、
移動体通信端末装置への着信に伴い該移動体通信端末装置から発信者情報を受信するステップ、
前記発信者情報に基づきスピーカ及びマイクロホンを選択するステップ、及び
選択したスピーカ及びマイクロホンを今回のハンズフリー通話用として前記移動体通信端末装置へ通話接続するステップ、
を有していることを特徴とするハンズフリー装置制御方法。
【請求項９】
請求項７記載のハンズフリー装置制御方法の各ステップをコンピュータに実現させるプログラム。
【発明の詳細な説明】
【技術分野】
【０００１】
本発明は、自動車の車室等に配備されるハンズフリー装置、制御方法及びプログラムに関するものである。
【背景技術】
【０００２】
特許文献１は、自動車のドライバーが、車内の携帯電話機にかかってきた電話をハンズフリーにより通話することができるハンズフリー装置を開示する。該ハンズフリー装置によれば、車内におけるハンズフリー通話のスピーカは、カーオーディオシステム用に装備されているスピーカを使用する（特許文献１の図１のカーステレオのスピーカ２）。
【０００３】
特許文献２のハンズフリーシステムは電話帳データベース（特許文献２の図２）を装備し、該電話帳データベースには電話番号とハンズフリー通話の実施及び非実施との対応付け情報が登録され、通話で使用するスピーカ及びマイクロホンを携帯電話機の内蔵スピーカ及びマイクロホンか外付けのスピーカ及びマイクロホンかのどちらにするかを、相手の電話番号に応じて決めるようになっている（特許文献２の図５の１１ｆ，１１ｊ）。
【特許文献１】特開２０００−５９８５９号公報
【特許文献２】特開２００４−３３６５５１号公報
【発明の開示】
【発明が解決しようとする課題】
【０００４】
複数の乗員が車室内にいる場合、特許文献１，２のハンズフリー方法では、同一のスピーカ及びマイクロホンが使用されるので、通話内容が他の乗員に容易に聞かれてしまったり、通話が、他人の騒音となって、周囲に迷惑をかけることがある。
【０００５】
本発明の目的は、所定の空間内の人が移動体通信端末装置のハンズフリー通話を行う場合に、該ハンズフリー通話の秘密性の改善や周囲への配慮等を達成できるハンズフリー装置、制御方法及びプログラムを提供することである。
【課題を解決するための手段】
【０００６】
本発明のハンズフリー装置は、移動体通信端末装置がハンズフリー通話のために適宜、接続自在になっている。該ハンズフリー装置は次のものを有している。
所定の空間内に離れて配置されてハンズフリー通話の際に使用される複数個のスピーカ及びマイクロホン、
ハンズフリー装置に接続されている移動体通信端末装置に着信があった時、移動体通信端末装置への着信及び発信者情報を該移動体通信端末装置から通知される被通知手段、及び
着信に対して通知された発信者情報に基づきスピーカ及びマイクロホンを選択して該選択したスピーカ及びマイクロホンを今回のハンズフリー通話用として移動体通信端末装置へ通話接続する接続手段。
【０００７】
本発明のハンズフリー装置制御方法が制御対象とするハンズフリー装置は、所定の空間内に離れて配置されてハンズフリー通話の際に使用される複数個のスピーカ及びマイクロホンを装備する。該制御方法は次のステップを有している。
移動体通信端末装置への着信に伴い該移動体通信端末装置から発信者情報を受信するステップ、
発信者情報に基づきスピーカ及びマイクロホンを選択するステップ、及び
選択したスピーカ及びマイクロホンを今回のハンズフリー通話用として移動体通信端末装置へ通話接続するステップ。
【０００８】
本発明のプログラムは、本発明のハンズフリー装置制御方法の各ステップをコンピュータに実現させる。あるいは本発明のハンズフリー装置の各手段としてコンピュータを機能させる。
【発明の効果】
【０００９】
本発明によれば、所定の空間内の適当箇所に、ハンズフリー通話用の複数個のスピーカ及びマイクロホンを配置し、移動体通信端末装置から発信者情報を入手し、発信者情報に基づき所定のスピーカ及びマイクロホンを、今回のハンズフリー通話用として選択して、移動体通信端末装置へ接続する。これにより、ハンズフリー通話の音声は、限定された区分内に留めることができるので、ハンズフリー通話の改善を図ることができる。
【発明を実施するための最良の形態】
【００１０】
図１は車載型ハンズフリー装置２０の構成図である。車載型ハンズフリー装置２０は、自動車に搭載され、乗員によって車室１０内へ持ち込まれた少なくとも１個の携帯電話機３０へ有線又は無線により適宜、接続されるようになっている。図１の車載型ハンズフリー装置２０は、切離し自在の接続ケーブル３１により、すなわち有線により、携帯電話機３０を接続されている。車室１０内において、運転席１１は前列右側に、助手席１２は前列左側に、後席１３は後列に、それぞれ配設される。ステアリングホィール１５は、運転席１１の前方に設けられ、運転席１１のドライバーにより操作される。
【００１１】
スピーカ１６ａ，１６ｂ，１６ｃ，１６ｄは、車室１０に搭載されるカーオーディオシステムのスピーカとして、前側の右ドア、前側の左ドア、後席１３の後方の左側、及び後席１３の後方の右側に、それぞれ装備される。カーオーディオシステムのＣＤやＭＤ等のプレーヤやチューナはインスツルメンツパネルのほぼ中央部に配設され、プレーヤやチューナで再生される楽曲や放送番組等の再生音は、スピーカ１６ａ，１６ｂ，１６ｃ，１６ｄから一斉に出力される。また、カーナビゲーション装置の各種音声案内はスピーカ１６ａから放音される。
【００１２】
スピーカ１６ａ，１６ｂ，１６ｃ，１６ｄは、携帯電話機３０のハンズフリー通話時のスピーカを兼ねる。運転席１１の乗員がハンズフリー通話を行うときは、スピーカ１６ａが使用され、助手席１２の乗員がハンズフリー通話を行うときは、スピーカ１６ｂが使用され、後席１３の左側の乗員がハンズフリー通話を行うときは、スピーカ１６ｃが使用され、後席１３の右側の乗員がハンズフリー通話を行うときは、スピーカ１６ｄが使用される。後席１３の中央の乗員がハンズフリー通話を行うときは、スピーカ１６ｃ又は１６ｄが使用される。各スピーカからカーオーディオシステムの音響が出力している期間に、携帯電話機３０に着信があって、ハンズフリー通話を行う場合には、対応のスピーカからの出力音は、カーオーディオシステムの再生音から通話の声に切替わり、ハンズフリー通話が終了しだい、元の再生音響へ戻るようになっている。
【００１３】
マイクロホン１７ａ，１７ｂ，１７ｃ，１７ｄは、それぞれ各スピーカ１６ａ，１６ｂ，１６ｃ，１６ｄに対応付けて、各スピーカ１６ａ，１６ｂ，１６ｃ，１６ｄの近傍に配置される。これにより、運転席１１の乗員がハンズフリー通話を行うときは、マイクロホン１７ａが使用され、助手席１２の乗員がハンズフリー通話を行うときは、マイクロホン１７ｂが使用され、後席１３の左側の乗員がハンズフリー通話を行うときは、マイクロホン１７ｃが使用され、後席１３の右側の乗員がハンズフリー通話を行うときは、マイクロホン１７ｄが使用される。後席１３の中央の乗員がハンズフリー通話を行うときは、マイクロホン１７ｃ又は１７ｄが使用される。マイクロホン１７ａ，１７ｂ，１７ｃ，１７ｄの高さは、各マイクロホン１７ａ，１７ｂ，１７ｃ，１７ｄに対応する乗員が自分の席に座ったときに、ほぼ口の高さになることが好ましいが、例えば、車室１０の天井に取り付けられてもよい。
【００１４】
該車載型ハンズフリー装置２０では、スピーカ１６ａ，１６ｂ，１６ｃ，１６ｄとマイクロホン１７ａ，１７ｂ，１７ｃ，１７ｄとの１個ずつが１つの対関係１６ａ−１７ａ，１６ｂ−１７ｂ，１６ｃ−１７ｃ，１６ｄ−１７ｄになっているが、スピーカの個数と、マイクロホンの個数とが同一でなくてもよい。すなわち、例えば、後席１３の左右方向中央部の天井に５番目のマイクロホンが追加され、該５番目のマイクロホンは、後席１３の左右方向中央部の乗員のハンズフリー通話に利用されてもよい。ただし、この場合、後席１３の左右方向中央部の乗員は、スピーカに関しては、スピーカ１６ｃ又は１６ｄを使用し、後席１３の左側の乗員又は右側の乗員のハンズフリー通話用のスピーカと共用することになる。したがって、この場合は、マイクロホンの個数がスピーカの個数より大となる。なお、共用の場合は、共用者同士では、ハンズフリー通話の秘匿性や静粛性が保持できないことになる。
【００１５】
同様に、マイクロホン１７ｂ，１７ｃを、車室１０の前後方向中央でかつ左側に配備した１個のマイクロホンに置き換えて、助手席１２の乗員と後席１３の左側の乗員とでハンズフリー通話のマイクロホンを共用してもよい。したがって、この場合は、マイクロホンの個数がスピーカの個数より小となる。
【００１６】
車載型ハンズフリー装置２０は、スピーカ１６ａ，１６ｂ，１６ｃ，１６ｄ及びマイクロホン１７ａ，１７ｂ，１７ｃ，１７ｄを要素として含むとともに、管理部２１、キー入力部２２、メモリ部２３、通話制御部２５、音声入出力切換部２７及び通話線２９を要素として含む。車室１０へ乗り込むユーザは、自分が携帯して来た携帯電話機３０を接続ケーブル３１を介して車載型ハンズフリー装置２０の通話制御部２５へ切離し自在に接続するようになっている。携帯電話機３０への接続ケーブル３１の接続場所は、車室１０内の各席に対応付けて、複数個、用意することもできるし、車室１０に１箇所だけ集中配置してもよい。該車載型ハンズフリー装置２０では、携帯電話機３０は、接続ケーブル３１により通話制御部２５へ切離し自在に接続されるが、ブルーツースや無線ＬＡＮ等の近距離無線通信により通話制御部２５へ接続されるようになっていてもよい。通話線２９は通話制御部２５−音声入出力切換部２７間を接続している。
【００１７】
なお、該車載型ハンズフリー装置２０では、携帯電話機３０が接続ケーブル３１を介して通話制御部２５へ接続されている期間では、ユーザは、キー入力部２２又は携帯電話機３０の所定のキーを操作して、ハンズフリー通話と携帯電話機３０を把持して使用する通話とを適宜切替自在になっている。ユーザは、また、ハンズフリー通話中に、接続ケーブル３１を通話制御部２５又は携帯電話機３０から抜いて、通話制御部２５−携帯電話機３０間の接続を切ることにより、ハンズフリー通話から携帯電話機３０を把持して使用する通話へ変更することもできる。
【００１８】
キー入力部２２は、運転席１１の左前方のインスツルメントパネル部分に配備され、運転席１１又は助手席１２の乗員により適宜、操作され、ハンズフリー通話に関する各種の設定や指示をユーザが入力できるようになっている。キー入力部２２はリモコンであってもよい。キー入力部２２は、また、車室１０のカーオーディオシステムの固定式又はリモコン式のキー入力部がそれを兼用してもよい。通話制御部２５は、それへ携帯電話機３０が接続ケーブル３１を介して接続されているときに、音声入出力切換部２７−携帯電話機３０間の通話信号を中継するとともに、携帯電話機３０から管理部２１への情報伝送信号を中継する。
【００１９】
管理部２１は、携帯電話機３０に着信があった時、携帯電話機３０へ電話をかけて来た相手の電話番号等を、通話制御部２５を介して携帯電話機３０から入力されるとともに、キー入力部２２からのユーザ指示を入力される。管理部２１は、これら入力に基づき所定のハンズフリー機器選択情報を作成又は更新し、最新のハンズフリー機器選択情報を不揮発性型のメモリ部２３へ記録する。
【００２０】
ハンズフリー機器選択情報は、電話番号、氏名及び／又はグループ等の発信者情報とハンズフリー機器（スピーカとマイクロホンとを含めて「ハンズフリー機器」と、適宜、総称する。）との対応付けに係る情報を含んだものである。相手の電話機から携帯電話機３０へ送信されて来る情報は、発信電話番号通知サービスでは、相手の電話番号のみであるが、典型的な携帯電話機３０はアドレス帳を装備しており、携帯電話機３０のユーザは、該アドレス帳に電話番号と氏名、グループ及び会社名等のその他との対応付けを登録していることがある。例えば、管理部２１は、携帯電話機３０のアドレス帳の情報をあらかじめ携帯電話機３０から受け取って、アドレス帳情報を、電話番号とハンズフリー機器との対応付けだけの情報へ組み込んだものをハンズフリー機器選択情報とし、それをメモリ部２３へ記録することができる。
【００２１】
管理部２１は、携帯電話機３０へ着信がありしだい、携帯電話機３０から発信者情報を受け取る。そして、メモリ部２３からハンズフリー機器選択情報を読み出して、発信者情報に対応付けられているハンズフリー機器を探し出し、探し出したハンズフリー機器へ通話制御部２５を接続する指示を音声入出力切換部２７へ出す。音声入出力切換部２７は、管理部２１からの接続指示に従い、携帯電話機３０をハンズフリー機器へ接続する。
【００２２】
携帯電話機３０の所有者はＡとし、車室内には、乗員としてＡ以外にＢ，Ｃ，Ｄが乗り込んでいるとする。また、Ａ，Ｂ，Ｃ，Ｄは、それぞれ運転席１１、助手席１２、後席１３の左、及び後席１３の右に、それぞれ着席していたとする。発信者情報が、例えば電話番号や氏名等である場合には、該発信者情報には、Ａに係る電話番号、Ｂに係る電話番号、Ｃに係る電話番号、Ｄに係る電話番号に関するものが存在する。
【００２３】
携帯電話機３０から管理部２１へ通知された発信者情報が、Ａに係る電話番号である場合には、スピーカ１６ａ及びマイクロホン１７ａが今回のハンズフリー通話にけるハンズフリー機器として選択される。携帯電話機３０から管理部２１へ通知された発信者情報が、Ｂに係る電話番号である場合には、スピーカ１６ｂ及びマイクロホン１７ｂが今回のハンズフリー通話にけるハンズフリー機器として選択される。携帯電話機３０から管理部２１へ通知された発信者情報が、Ｃに係る電話番号である場合には、スピーカ１６ｃ及びマイクロホン１７ｃが今回のハンズフリー通話にけるハンズフリー機器として選択される。携帯電話機３０から管理部２１へ通知された発信者情報が、Ｄに係る電話番号である場合には、スピーカ１６ｄ及びマイクロホン１７ｄが今回のハンズフリー通話にけるハンズフリー機器として選択される。
【００２４】
発信者情報が、電話番号以外の例えば氏名やグループである場合には、該発信者情報には、Ａに係る氏名やグループ、Ｂに係る氏名やグループ、Ｃに係る氏名やグループ、Ｄに係る氏名やグループに関するものが存在する。また、所有者Ａは、自分が所有する携帯電話機３０のアドレス帳に、自分が関わる氏名やグループ以外に、それぞれＢが関わる氏名やグループ、Ｃが関わる氏名やグループ、Ｄが関わる氏名やグループとを区別して、各電話番号と氏名又はグループとの対応付けを登録しているものとする。
【００２５】
携帯電話機３０から管理部２１へ通知された発信者情報が、Ａが関わる氏名やグループである場合には、スピーカ１６ａ及びマイクロホン１７ａが今回のハンズフリー通話にけるハンズフリー機器として選択される。携帯電話機３０から管理部２１へ通知された発信者情報が、Ｂが関わる氏名やグループである場合には、スピーカ１６ｂ及びマイクロホン１７ｂが今回のハンズフリー通話にけるハンズフリー機器として選択される。携帯電話機３０から管理部２１へ通知された発信者情報が、Ｃが関わる氏名やグループである場合には、スピーカ１６ｃ及びマイクロホン１７ｃが今回のハンズフリー通話にけるハンズフリー機器として選択される。携帯電話機３０から管理部２１へ通知された発信者情報が、Ｄに係るが関わる氏名やグループである場合には、スピーカ１６ｄ及びマイクロホン１７ｄが今回のハンズフリー通話にけるハンズフリー機器として選択される。
【００２６】
ハンズフリー機器選択情報作成方法には種々の具体例がある。第１のハンズフリー機器選択情報作成方法は、ハンズフリー通話期間に行われる。第１のハンズフリー機器選択情報作成方法では、携帯電話機３０に着信があると、発信者番号が携帯電話機３０から管理部２１へ通知される。管理部２１は、通知された電話番号自体を所定の表示器（図示せず）に表示したり、又は、携帯電話機３０からあらかじめ受け取っているアドレス帳情報に基づき、電話番号に対応する氏名、グループ等を探し出して、それを表示に表示したりする。
【００２７】
ハンズフリー機器選択情報の作成担当の乗員（停車中は、通常はドライバー）は、表示器に表示される電話番号、氏名又はグループ等を見て、それらに対応付けるハンズフリー機器として、スピーカ１６ａ，１６ｂ，１６ｃ，１６ｄ及びマイクロホン１７ａ，１７ｂ，１７ｃ，１７ｄの中から各１個を指定する。該車載型ハンズフリー装置２０では、スピーカとマイクロホンとは１：１で対関係１６ａ−１７ａ，１６ｂ−１７ｂ，１６ｃ−１７ｃ，１６ｄ−１７ｄにあるので、スピーカ及びマイクロホンの一方を指定すれば、他方も指定したことにして、他方の指定を省略してもよい。ハンズフリー機器を指定するキー入力部２２における入力は、例えば、各スピーカ１６ａ，１６ｂ，１６ｃ，１６ｄの位置に対応付けたテンキー入力（例：運転席位置は＃１、助手席位置は＃２、・・・）により行われるようになっていてもよい。こうして、発信者情報とハンズフリー機器との対応付け情報としてのハンズフリー機器選択情報が作成される。ユーザは、一旦作成したハンズフリー機器選択情報について、その後、再び、キー入力部２２を操作して、適宜、新規の発信者情報に係るハンズフリー機器選択情報を追加したり、登録済みの発信者情報に係るハンズフリー機器選択情報を削除、変更したりすることが可能になっている。
【００２８】
第２のハンズフリー機器選択情報作成方法は、第１のハンズフリー機器選択情報作成方法を一部変更したものである。第１の作成方法では、新規の発信者情報は表示器に表示されて、ハンズフリー機器選択情報の作成者は、表示器の表示を見て、対応付けるハンズフリー機器を指定していた。これに対して、第２のハンズフリー機器選択情報作成方法では、未登録のハンズフリーに係る着信が携帯電話機３０にあった場合、管理部２１は、音声入出力切換部２７が携帯電話機３０をデフォルトのハンズフリー機器、例えばスピーカ１６ａ及びマイクロホン１７ａへ接続する指示を、音声入出力切換部２７へ出す。ハンズフリー機器選択情報の作成者は、スピーカ１６ａ及びマイクロホン１７ａからの相手の声に基づき、ハンズフリーを機器を指定し、これにより、ハンズフリー機器選択情報を作成する。作成されたハンズフリー機器選択情報は、第１のハンズフリー機器選択情報作成方法の場合と同様に、メモリ部２３に記憶される。
【００２９】
第３のハンズフリー機器選択情報作成方法は、通話がない期間に行われる。ユーザは、電話番号とそれに対応付けるハンズフリー機器との両方をキー入力部２２から入力し、これにより、ハンズフリー機器選択情報が作成され、メモリ部２３に記憶される。
【００３０】
ハンズフリー機器選択情報は、ハンズフリー通話の非実施期間だけでなく、実施期間にも更新可能になっている。ハンズフリー通話の非実施期間のハンズフリー機器選択情報の更新は、前述の第１のハンズフリー機器選択情報作成方法と同じく、キー入力部２２を操作して、表示器上で行うことができる。その場合、更新対象のデータが表示器に呼び出される。ハンズフリー通話の実施期間におけるハンズフリー機器選択情報の更新では、携帯電話機３０がハンズフリー通話のために所定のハンズフリー機器へ接続されている期間に、キー入力部２２を操作して、現在のハンズフリー通話に係る発信者情報を対応付けるハンズフリー機器を、キー入力部２２の操作により変更する。変更があると、管理部２１は、携帯電話機３０を更新前のハンズフリー機器から更新後のハンズフリー機器へ直ちに切り替える指示を音声入出力切換部２７へ出すとともに、メモリ部２３のハンズフリー機器選択情報を、更新を反映させたものへ更新する。
【００３１】
図２は複数個の携帯電話機のハンズフリー通話に対応できる車載型ハンズフリー装置２０の構成図である。図１のものとの相違点について説明する。通話制御部２５は、複数個の携帯電話機がそれらのハンズフリー通話のために適宜、接続自在になっており、図２では、３個の携帯電話機３０ａ，３０ｂ，３０ｃはそれぞれ接続ケーブル３１ａ，３１ｂ，３１ｃを介して通話制御部２５へ分離自在に接続される。通話制御部２５−音声入出力切換部２７間は、接続ケーブル３１ａ，３１ｂ，３１ｃに対応するそれぞれ通話線２９ａ，２９ｂ，２９ｃにより相互に接続されている。
【００３２】
着信が或る携帯電話機にあると、通話制御部２５は、該携帯電話機からの発信者情報を管理部２１へ送るとともに、該携帯電話機が接続されている通話制御部２５における接続端子がどれであるかという情報を管理部２１へ通知する。各携帯電話機３０ａ，３０ｂ，３０ｃが接続されている通話制御部２５の接続端子はそれぞれ通話線２９ａ，２９ｂ，２９ｃに対応している。管理部２１は、音声入出力切換部２７におけるハンズフリー通話接続の一方側としてのハンズフリー機器については、図１の車載型ハンズフリー装置２０と同様に、メモリ部２３のハンズフリー機器選択情報を参照して発信者情報に対応するハンズフリー機器を探し出して、それを選択する指示を音声入出力切換部２７に出す。管理部２１は、音声入出力切換部２７におけるハンズフリー通話接続の他方側として、音声入出力切換部２７に接続する通話線２９ａ，２９ｂ，２９ｃは、通話制御部２５からの接続端子に基づき決定し、決定した通話線２９ａ，２９ｂ，２９ｃを選択する指示を音声入出力切換部２７へ出す。これにより、音声入出力切換部２７は、着信のあった携帯電話機とハンズフリー通話を行う乗員の近傍のハンズフリー機器とを接続して、ハンズフリー通話が実施される。
【００３３】
携帯電話機３０ａ，３０ｂ，３０ｃの所有者をそれぞれＡ，Ｂ，Ｃとする。Ａ，Ｂ，Ｃは、それぞれ運転席１１、助手席１２及び後席１３の左に着席していたとする。通常の事例では、携帯電話機３０ａへの着信に対して、管理部２１が携帯電話機３０ａより通知を受ける電話番号、氏名又はグループ等はＡに係るものであり、スピーカ１６ａ及びマイクロホン１７ａが今回のハンズフリー通話にけるハンズフリー機器として選択される。携帯電話機３０ｂへの着信に対して、管理部２１が携帯電話機３０ｂより通知を受ける電話番号、氏名又はグループ等はＢに係るものであり、スピーカ１６ｂ及びマイクロホン１７ｂが今回のハンズフリー通話にけるハンズフリー機器として選択される。携帯電話機３０ｃへの着信に対して、管理部２１が携帯電話機３０ｃより通知を受ける電話番号、氏名又はグループ等はＣに係るものであり、スピーカ１６ｃ及びマイクロホン１７ｃが今回のハンズフリー通話にけるハンズフリー機器として選択される。
【００３４】
しかしながら、携帯電話機３０ａのアドレス帳には、Ａに係る電話番号、氏名及びグループの他に、他人としてのＢ，Ｃに係る電話番号、氏名及びグループが他人別に登録されている場合があり、携帯電話機３０ａへの着信に対して、管理部２１が携帯電話機３０ａより通知を受ける電話番号、氏名又はグループ等はＢやＣに係るものである場合には、それぞれスピーカ１６ｂとマイクロホン１７ｂ、又はスピーカ１６ｃとマイクロホン１７ｃとが、それぞれハンズフリー機器として選択され、これら選択されたハンズフリー機器と携帯電話機３０ａとが通話接続されることになる。携帯電話機３０ｂ，３０ｃのアドレス帳に、Ｂ，Ｃ以外の他人に係る電話番号、氏名及びグループが登録されている場合も同様である。
【００３５】
図２の車載型ハンズフリー装置２０では、ハンズフリー通話が同一とならない限り、複数の携帯電話機についてのハンズフリー通話を同時に実施できる。すでに、別の携帯電話機についてのハンズフリー通話で使用されているハンズフリー機器が、後から着信した携帯電話機についてのハンズフリー機器となっている場合には、後の着信の通話はハンズフリー通話を拒否されることになり、ユーザは、後から着信した携帯電話機を通話制御部２５から切離して、携帯電話機自体で通話をすることになる。
【００３６】
図３はハンズフリー装置４０の構成図である。ハンズフリー装置４０の一例は車載型ハンズフリー装置２０（図１及び図２）である。ハンズフリー装置４０は、典型的には乗用車、バス及び鉄道車両等の車室に配備されるが、車載型に限定されない。ハンズフリー装置４０は、所定の建物内や敷地内に配備されてもよい。ハンズフリー装置４０は、少なくとも１個の移動体通信端末装置５０をハンズフリー通話のために適宜、接続自在になっている、ハンズフリー装置４０は、マイクロホン４１ａ，４１ｂ，４１ｃ，・・・、スピーカ４２ａ，４２ｂ，４２ｃ，・・・、被通知手段４３及び接続手段４４を装備する。管理手段４７については後述する。
【００３７】
ハンズフリー通話の際に使用する複数個のマイクロホン４１ａ，４１ｂ，４１ｃ，・・・及びスピーカ４２ａ，４２ｂ，４２ｃ，・・・は、所定の空間内に離れて配置される。被通知手段４３は、ハンズフリー装置４０に接続されている移動体通信端末装置５０に着信があった時、移動体通信端末装置５０への着信及び発信者情報を該移動体通信端末装置５０から通知される。接続手段４４は、着信に対して通知された発信者情報に基づきマイクロホン４１ａ，４１ｂ，４１ｃ，・・・及びスピーカ４２ａ，４２ｂ，４２ｃ，・・・の各１個を選択して、該選択したスピーカ及びマイクロホンを今回のハンズフリー通話用として移動体通信端末装置５０へ通話接続する。
【００３８】
マイクロホン４１ａ，４１ｂ，４１ｃ，・・・の一例はスピーカ１６ａ，１６ｂ，１６ｃ，１６ｄである。スピーカ４２ａ，４２ｂ，４２ｃ，・・・の一例はマイクロホン１７ａ，１７ｂ，１７ｃ，１７ｄである。例えば、１個のスピーカと１個のマイクロホンとが１対を構成し、各対のスピーカ及びマイクロホンは、ほぼ同一の区分内に存在する人のハンズフリー通話を担当するようになっていてもよいが、ハンズフリー通話に関して、１個のスピーカの担当区分が、複数個のマイクロホンの担当区分に相当していたり、また、その逆の場合があってもよいとする。
【００３９】
ハンズフリー装置４０の一例としての車載型ハンズフリー装置２０では、スピーカ１６ａ，１６ｂ，１６ｃ，１６ｄがカーオーディオシステムのスピーカを兼ねているが、ハンズフリー装置４０のスピーカ４２ａ，４２ｂ，４２ｃ，・・・は、カーオーディオシステムのスピーカを兼ねない、ハンズフリー通話専用のものであってもよいとする。移動体通信端末装置５０の一例は、携帯電話機３０であるが、移動体通信端末装置５０は、携帯電話機以外のＰＤＡ等の装置であってもよい。
【００４０】
こうして、移動体通信端末装置５０に着信があると、移動体通信端末装置５０へ電話をかけてきた相手に応じて、空間内の所定範囲のハンズフリー通話を担当するスピーカ及びマイクロホンが移動体通信端末装置５０へ通話接続されて、該所定のスピーカ及びマイクロホンよりハンズフリー通話が行なわれることになるので、他人への迷惑を抑制したり、通話内容の秘密性を適度の範囲で保持することができる。
【００４１】
ハンズフリー装置４０の種々の具体的態様について説明する。
【００４２】
発信者情報は、例えば、通話相手方の電話番号、氏名及び／又はグループに係る情報である。発信者電話番号通知サービスでは、電話をかけて来た相手の電話番号しか相手側電話機より移動体通信端末装置５０へ通知されないが、移動体通信端末装置５０にアドレス帳が装備されている場合がある。ユーザは、アドレス帳に各電話番号に対応付けて、氏名、グループ及びその他を登録していることがある。管理部２１は、アドレス帳情報を利用することにより、電話番号だけでなく、氏名、グループ及びその他からも、今回のハンズフリー通話用として選択するスピーカ及びマイクロホンを決めることができる。
【００４３】
ハンズフリー装置４０は、管理手段４７を追加装備することもできる。管理手段４７は、発信者情報とハンズフリー通話用のスピーカ及びマイクロホンとを対応付けたハンズフリー機器選択情報をユーザ指示に基づき作成して記憶管理する。接続手段４４は、ハンズフリー機器選択情報に基づき今回のハンズフリー通話用としてのマイクロホン４１ａ，４１ｂ，４１ｃ，・・・及びスピーカ４２ａ，４２ｂ，４２ｃ，・・・を選択する。
【００４４】
なお、今回のハンズフリー通話用としての選択されるスピーカは、今回のハンズフリー通話者に最も近いものであるが、今回のハンズフリー通話者が、スピーカの担当区域の境界近辺にいる場合には、複数個のスピーカが選択されてもよいとする。
【００４５】
好ましくは、接続手段４４は、ハンズフリー通話の実施中にハンズフリー通話用マイクロホン４１ａ，４１ｂ，４１ｃ，・・・及びスピーカ４２ａ，４２ｂ，４２ｃ，・・・をユーザ指示に基づき変更する。管理手段４７は、ハンズフリー通話の実施中にユーザ指示に基づき変更した後のハンズフリー通話用のスピーカ及びマイクロホンに基づき、ハンズフリー機器選択情報における発信者情報とハンズフリー通話用のスピーカ及びマイクロホンとの対応付けを更新する。こうして、ハンズフリー通話中に、使用スピーカ及びマイクロホンを適宜、変更できることにより、ユーザの便宜となる。また。スピーカ及びマイクロホンの変更はハンズフリー機器選択情報に反映されるので、再度、同一の相手から着信があったときには、移動体通信端末装置５０は、変更後のスピーカ及びマイクロホンへハンズフリー通話接続される。
【００４６】
ハンズフリー装置４０は、複数個の移動体通信端末装置５０へ有線又は近距離無線通信で接続され、各移動体通信端末装置への着信に対してハンズフリー通話をマイクロホン４１ａ，４１ｂ，４１ｃ，・・・及びスピーカ４２ａ，４２ｂ，４２ｃ，・・・により行うようにすることもできる。複数個の移動体通信端末装置５０に対するハンズフリー通話を実現するハンズフリー装置４０では、被通知手段４３は、複数個の移動体通信端末装置５０へ対応の接続部を介して接続されている場合は、着信のあった移動体通信端末装置５０の接続部を検出する。接続部は、移動体通信端末装置５０が有線でハンズフリー装置４０へ接続されている場合には、例えばハンズフリー装置４０におけるケーブル接続端子とされる。接続部は、移動体通信端末装置５０が無線でハンズフリー装置４０へ接続されている場合には、例えば接続チャンネルとされる。接続手段４４は、ハンズフリー機器として選択したスピーカ及びマイクロホンを、接続部へ通話接続する。
【００４７】
好ましくは、接続手段４４は、同時に通話状態になっている複数個の移動体通信端末装置５０へ通話接続するマイクロホン及びスピーカが各移動体通信端末装置５０ごとに異なる場合は、各移動体通信端末装置５０を対応のマイクロホン及びスピーカへ接続して、各移動体通信端末装置５０ごとにハンズフリー通話を実現するようになっている。これにより、同一空間内の複数の人が各区域でそれぞれ別の相手と同時にハンズフリー通話を行うことができる。
【００４８】
図４はハンズフリー装置制御方法６０のフローチャートである。ハンズフリー装置制御方法６０は、ハンズフリー装置４０へ適用されている技術思想を方法形態で実現するものである。ハンズフリー装置制御方法６０についての説明において、ハンズフリー装置４０についての説明と重複する部分は同一符号を使用して、説明する。ハンズフリー装置制御方法６０が制御対象とするハンズフリー装置は、所定の空間内に離れて配置されてハンズフリー通話の際に使用する複数個のマイクロホン４１ａ，４１ｂ，４１ｃ，・・・及びスピーカ４２ａ，４２ｂ，４２ｃ，・・・を装備する。
【００４９】
Ｓ６１では、移動体通信端末装置５０への着信に伴い該移動体通信端末装置５０から発信者情報を受信する。Ｓ６２では、発信者情報に基づきマイクロホン４１ａ，４１ｂ，４１ｃ，・・・及びスピーカ４２ａ，４２ｂ，４２ｃ，・・・を選択する。Ｓ６３では、選択したマイクロホン４１ａ，４１ｂ，４１ｃ，・・・及びスピーカ４２ａ，４２ｂ，４２ｃ，・・・を今回のハンズフリー通話用として移動体通信端末装置５０へ通話接続する。
【００５０】
以下、ハンズフリー装置制御方法６０の種々の具体例を説明する。
【００５１】
例えば、発信者情報とハンズフリー通話用のスピーカ及びマイクロホンとを対応付けたハンズフリー機器選択情報をユーザ指示に基づき作成して記憶管理するステップを図４のルーチンとは別個の管理ルーチン内のステップとして追加する。また、これに対応させて、Ｓ６２では、ハンズフリー機器選択情報に基づき今回のハンズフリー通話用のスピーカ及びマイクロホンを選択する。
【００５２】
ハンズフリー装置制御方法６０において、ハンズフリー通話中のハンズフリー通話用のスピーカ及びマイクロホンの変更のために、好ましくは、Ｓ６３では、ハンズフリー通話の実施中にハンズフリー通話用のスピーカ及びマイクロホンをユーザ指示に基づき変更する。また、管理ルーチンにおいて、ハンズフリー通話の実施中にユーザ指示に基づき変更した後のハンズフリー通話用のスピーカ及びマイクロホンに基づき、ハンズフリー機器選択情報における発信者情報とハンズフリー通話用のスピーカ及びマイクロホンとの対応付けを更新するステップを追加する。
【００５３】
複数個の移動体通信端末装置５０における同時ハンズフリー通話を実現するためには、Ｓ６１では、ハンズフリー装置４０が複数個の移動体通信端末装置へ対応の接続部を介して接続されている場合は、着信のあった移動体通信端末装置の接続部を検出する。Ｓ６３では、ハンズフリー機器として選択したスピーカ及びマイクロホンを、接続部へ通話接続する。
【００５４】
さらに、好ましくは、Ｓ６３において、同時に通話状態になっている複数個の移動体通信端末装置へ通話接続するスピーカ及びマイクロホンが各移動体通信端末装置ごとに異なる場合は、各移動体通信端末装置を対応のスピーカ及びマイクロホンへ接続して、各移動体通信端末装置ごとにハンズフリー通話を実現するようになっている。なお、同時に通話状態になっている複数個の移動体通信端末装置へ通話接続するスピーカ及びマイクロホンが重複する場合には、Ｓ６３において、例えば、後の着信に係るハンズフリー通話を拒否して、前の着信に係るハンズフリー通話接続を維持する。この場合、後の着信に係る通話者は移動体通信端末装置５０自身のスピーカ及びマイクロホンを使用して通話を行うことになる。
【００５５】
本発明を適用したプログラムは、ハンズフリー装置４０の各手段として機能させる。本発明を適用した別のプログラムは、ハンズフリー装置制御方法６０の各ステップをコンピュータに実行させる。
【００５６】
本発明を最良の形態について説明したが、本発明は、これに限定されず、要旨の範囲内で種々の形態により実施可能であることはいうまでもない。
【図面の簡単な説明】
【００５７】
【図１】車載型ハンズフリー装置の構成図である。
【図２】複数個の携帯電話機のハンズフリー通話に対応できる車載型ハンズフリー装置の構成図である。
【図３】ハンズフリー装置の構成図である。
【図４】ハンズフリー装置制御方法のフローチャートである。
【符号の説明】
【００５８】
４０：ハンズフリー装置、４１ａ，４１ｂ，４１ｃ：マイクロホン、４２ａ，４２ｂ，４２ｃ：スピーカ、４３：被通知手段、４４：接続手段、４７：管理手段、５０：移動体通信端末装置、６０：ハンズフリー装置制御方法。
【図１】
2007104343.tif 000003
【図２】
2007104343.tif 000004
【図３】
2007104343.tif 000005
【図４】
2007104343.tif 000006